(57)【要約】【課題】レンズ装置の種類によらず、高品位な静止画撮影を行える撮像装置を提供する。【解決手段】撮像手段１０３と、同じタイミングで露光された２つのフィールド画から１フレームの静止画を生成する第１画像生成手段１０６ａと、異なるタイミングで露光された２つのフィールド画から１フレームの静止画を生成する第２画像生成手段１０６ｂと、着脱可能に装着されたレンズ装置１１５が撮像手段への露光を遮るシャッタ手段１１４を有しているか否かに応じて、第１画像生成手段と第２画像生成手段のいずれかに切り換える切換手段１０８とを有する。【選択図】図１
2008118239.tif 000002
【特許請求の範囲】
【請求項１】
撮像手段と、
同じタイミングで露光された２つのフィールド画から１フレームの静止画を生成する第１画像生成手段と、
異なるタイミングで露光された２つのフィールド画から１フレームの静止画を生成する第２画像生成手段と、
着脱可能に装着されたレンズ装置が前記撮像手段への露光を遮るシャッタ手段を有しているか否かに応じて、前記第１画像生成手段と前記第２画像生成手段のいずれかに切り換える切換手段とを有することを特徴とする撮像装置。
【請求項２】
着脱可能に装着されたレンズ装置がシャッタ手段を有している場合には、前記第２画像生成手段に切り換わることを特徴とする請求項１に記載の撮像装置。
【請求項３】
前記第２画像生成手段は、前記静止画を生成するときに、前記２つのフィールド画の違いから動きがある部分を検出し、動きのある部分に一方のフィールド画を使い、動きの無い部分に他方のフィールド画を使うことを特徴とする請求項２に記載の撮像装置。
【請求項４】
前記動きがある部分の検出は、画素単位で行うことを特徴とする請求項３に記載の撮像装置。
【請求項５】
撮像手段を有する撮像装置の制御方法であって、
同じタイミングで露光された２つのフィールド画から１フレームの静止画を生成する第１画像生成ステップと、
異なるタイミングで露光された２つのフィールド画から１フレームの静止画を生成する第２画像生成ステップと、
着脱可能に装着されたレンズ装置が前記撮像素子への露光を遮るシャッタ手段を有しているか否かに応じて、前記第１画像生成ステップと前記第２画像生成手段のいずれかに切り換える切換ステップとを有することを特徴とする撮像装置の制御方法。
【発明の詳細な説明】
【技術分野】
【０００１】
本発明は、レンズ装置を装着可能にするデジタルビデオカメラ等の撮像装置および撮像装置の制御方法に関するものである。
【背景技術】
【０００２】
近年のデジタルカメラの急速な普及にみられるように、ＣＣＤ（電荷結合素子）の高画素化、メモリの高容量化、画像処理技術の向上などに伴い、ビデオカメラにおいては、動画と共に静止画も撮影可能な製品のニーズが高まってきている。例えば、交換レンズ式のビデオカメラは、きれい（高品位）な動画だけでなく、きれいな静止画の撮影も可能な製品として注目されている。しかし、そのためには機械的シャッタ手段（以下、メカシャッタとも記す）を用いて静止画を生成する必要がある（特許文献１）。
【０００３】
ここで、静止画を生成する時にメカシャッタを用いる利点について説明する。ＣＣＤは、一般に、インターレース型のＣＣＤを使用する。インターレース型のＣＣＤを使用したビデオカメラでは、１画面を１フレームとした場合、かかる１フレームを構成する走査線の偶数番目（ＥＶＥＮ）の電荷と奇数番目（ＯＤＤ）の電荷をそれぞれ交互に読み出す。そして、これらから１画面の画像信号を形成する。しかし、偶数番目（ＥＶＥＮ）の電荷と奇数番目（ＯＤＤ）の電荷に時間差があると、被写体の動きのある部分に振れが生じるため、きれいな静止画は得られない。つまり、ＣＣＤから信号を読み出している間は、メカシャッタの動作によって、ＣＣＤに光が入射されないように遮光する。このことによって同じ時間に取り込まれた偶数番目（ＥＶＥＮ）の電荷と奇数番目（ＯＤＤ）の電荷をそれぞれ交互に読み出して１画面の画像信号を形成することが可能となる。
【０００４】
従って、メカシャッタを用いることによって１フレーム分の情報量のある静止画を生成でき、且つ、被写体の動きのある部分に振れがないきれいな静止画を得ることが可能となる。
【０００５】
もし、メカシャッタを使わずに静止画を生成する場合は、生成された静止画に１フィールド（偶数番目及び奇数番目のどちらか一方の電荷情報）分の情報量しかなく、必要とする情報量が半分しかない。そのために品質の悪い静止画になってしまう。例えば、１フィールド分の情報量しかない場合には、被写体に斜めの線があると、かかる斜めの線のエッジがなめらかでなくなる。そのため解像感がなくなり、静止画としての品質が著しく低下してしまう。
【特許文献１】特開２００６−９８７３６号公報
【発明の開示】
【発明が解決しようとする課題】
【０００６】
上記のように、装着された交換レンズにメカシャッタが塔載されていれば、メカシャッタを用いた“きれい”な静止画を撮影することが可能である。しかし、もし、装着された交換レンズにメカシャッタが塔載されていない場合は、ユーザーは静止画を撮影することが出来ない。つまり、レンズ交換式ビデオカメラ特有のメリットとして、眺望遠レンズや超ワイドレンズやマクロレンズなどが既に発売されている。このような様々な特色のあるレンズを装着することが可能であるのにもかかわらず、これら特色のあるレンズを装着すると静止画撮影することができなくなるという課題があった。
【０００７】
（発明の目的）
本発明の目的は、レンズ装置の種類によらず、高品位な静止画撮影を行うことのできる撮像装置および撮像装置の制御方法を提供しようとするものである。
【課題を解決するための手段】
【０００８】
上記目的を達成するために、本発明は、撮像手段と、同じタイミングで露光された２つのフィールド画から１フレームの静止画を生成する第１画像生成手段と、異なるタイミングで露光された２つのフィールド画から１フレームの静止画を生成する第２画像生成手段と、着脱可能に装着されたレンズ装置が前記撮像手段への露光を遮るシャッタ手段を有しているか否かに応じて、前記第１画像生成手段と前記第２画像生成手段のいずれかに切り換える切換手段とを有する撮像装置とするものである。
【０００９】
同じく上記目的を達成するために、本発明は、撮像手段を有する撮像装置の制御方法であって、同じタイミングで露光された２つのフィールド画から１フレームの静止画を生成する第１画像生成ステップと、異なるタイミングで露光された２つのフィールド画から１フレームの静止画を生成する第２画像生成ステップと、着脱可能に装着されたレンズ装置が前記撮像素子への露光を遮るシャッタ手段を有しているか否かに応じて、前記第１画像生成ステップと前記第２画像生成手段のいずれかに切り換える切換ステップとを有する撮像装置の制御方法とするものである。
【発明の効果】
【００１０】
本発明によれば、レンズ装置の種類によらず、高品位な静止画撮影を行うことができる撮像装置または撮像装置の制御方法を提供できるものである。
【発明を実施するための最良の形態】
【００１１】
本発明を実施するための最良の形態は、以下の実施例に示す通りである。
【実施例１】
【００１２】
図１は、本発明の一実施例に係わる撮像システム１００のシステム構成を示す図である。
【００１３】
撮像システム１００は、交換レンズ１１５を介して結像した被写体の像を撮影するものである。撮像システム１００は、本実施例では、動画と共に静止画を撮影することができるデジタルビデオカメラとして具現化される。
【００１４】
撮像システム１００は、図１に示すように、交換レンズ１１５と、交換レンズ１１５を着脱可能に装着するカメラ本体１１６とを有する。
【００１５】
交換レンズ１１５は、結像用（撮像）レンズ１０１、光量を調整するためのアイリス１０２、アイリス１０２を制御する絞り制御回路１１２を有する。さらに、アイリス１０２の絞り値を検出するための絞り値検出回路１１３、ＣＣＤ１０３への入射光量を遮断し、露光を禁止するためのメカシャッタ１１４を有する。さらに、メカシャッタ１１４を高速に動作させるためのメカシャッタ制御回路１２３、交換レンズ１１５内の制御を行うレンズ側制御部１１１を有する。
【００１６】
カメラ本体１１６は、撮像素子であるＣＣＤ１１３、ＣＤＳ／ＡＧＣ回路（二重相関サンプリング回路／自動利得制御回路）１０４を有する。さらに、アナログの映像信号をデジタル信号に変換するためのＡ／Ｄコンバータ１０５、カメラ信号処理回路１０６、レコーダー部への信号経路１０７を有する。さらに、カメラ信号処理回路１０６にて映像信号処理を施された映像信号を一時的に蓄えるためのＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１１９を有する。ほかに、カメラ信号処理回路１０６で生成されたＶＤ（垂直同期信号）１１７を伝達するための経路を有する。ＳＤＲＡＭ１１９に蓄えられた静止画データは、インターフェース１２４を介して不図示の記録媒体に記録される。さらに、カメラ本体１１６内の制御を行うカメラ側制御部１０８、カメラ側制御部１０８とレンズ側制御部１１１との間で各種情報の通信を行うための通信ライン１１０、静止画を記録するための静止画記録スイッチ１０９を有する。さらに、静止画記録スイッチ１０９によってユーザーが静止画を撮影する際に、カメラ信号処理回路１０６の内部において静止画を生成するための信号（静止画記録実行信号）１２５を伝達するための経路を有する。さらに、静止画記録スイッチ１０９によって撮影された静止画を不図示の記録媒体に記録するためのインターフェース１２４、交換レンズ１１５がカメラ本体１１６に装着されているかどうかを検出するレンズ検出回路１２６を有する。カメラ信号処理回路１０６からの信号１０７は不図示のレコーダー部へ出力される
なお、通信ライン１１０は、電源ライン１２０、クロックライン（ＣＬＫ）ライン１２１、データ（ＤＡＴＡ）ライン１２２、および、ＣＳ（チップセレクト信号）ライン１３１を含む。
【００１７】
次に、撮像システム１００の動作について説明する。
【００１８】
カメラ本体１１６に交換レンズ１１５が装着されると、カメラ本体１１６から電源ライン１２０を介して交換レンズ１１５に電源が供給される。被写体からの光学像は、結像用レンズ１０１を通過し、アイリス１０２によって光量が制限され、ＣＣＤ１０３に結像する。ＣＣＤ１０３によって光電変換された映像信号は、ＣＤＳ／ＡＧＣ回路１０４によってノイズ除去及び利得制御が行われた後、Ａ／Ｄコンバータ１０５においてデジタル信号に変換されてカメラ信号処理回路１０６に送られる。カメラ信号処理回路１０６は、デジタル映像信号を処理して規格化された映像信号を生成する。かかる映像信号は、デジタル信号のままレコーダー部１０７へ送られて不図示の記録媒体に記録される。
【００１９】
次に、図２について説明する。
【００２０】
図２は、メカシャッタ１１４が塔載されていない交換レンズ１１５−２とカメラ本体１１６から構成される撮像システム１００のシステム構成を示す図である。図１と比較すると、メカシャッタ１１４とメカシャッタ制御回路１２３が塔載されていない点が異なる。この構成の場合、レンズ側制御部１１１からカメラ側制御部１０８へメカシャッタ１１４が塔載されていないことを意味するステータスを通信１１０の経路を使って送信する。
【００２１】
次に、図３を用いて、レンズ側制御部１１１にメカシャッタ１１４が塔載されているかどうかを判別するためにカメラ側制御部１０８とレンズ側制御部１１１とが通信を行う場合の処理について説明する。
【００２２】
図３において、まず、カメラ側制御部１０８において、カメラ信号処理回路１０６から出力されるＶＤ１１７が入力されたかどうかを判定する（ステップ＃６０１）。ＶＤ１１７がカメラ側制御部１０８に入力されると、交換レンズ１１５がカメラ本体１１６に装着されているかどうかを判定する（ステップ＃６０２）。交換レンズ１１５がカメラ本体１１６に装着されていない場合には、ステップ＃６０１に戻る。一方、交換レンズ１１５がカメラ本体１１６に装着されている場合には、送信データをセットする（ステップ＃６０３）。
【００２３】
次に、ＣＳライン１１３の極性をＨからＬにして（ステップ＃６０４）、データの送受信を行う（ステップ＃６０５）。データの送受信が終了したら、ＣＳライン１１３の極性をＬからＨにする（ステップ＃６０６）。次に、レンズ側制御部１１１から受信したデータを解析する（ステップ＃６０７）。
【００２４】
このような流れ（各ステップ）は、予めカメラ側制御部１０８とレンズ側制御部１１１との間で決められたフォーマットである。これらのフォーマットを交換レンズ１１５及びカメラ本体１１６の双方が厳守することによって、通信が成り立つ。
【００２５】
次に、カメラ本体１１６（カメラ側制御部１０８）の動作について、図４のフローチャートにしたがって説明する。
【００２６】
図４において、静止画記録スイッチ１０９がＯＮされたかどうかを判定する（ステップ＃２０１）。静止画記録スイッチ１０９がＯＮされていなければ、静止画撮影が行われないため、処理は行われない（ＮＯに分岐する）。
【００２７】
もし、静止画記録スイッチ１０９がＯＮされた場合は、ステップ＃２０１でＹＥＳに分岐する。そして、レンズ検出回路１２６において、交換レンズ１１５がカメラ本体１１６に装着されているかどうかを判定する（ステップ＃２０２）。交換レンズ１１５がカメラ本体１１６に装着されていなければ、ステップ＃２０２でＮＯに分岐し、フレーム静止画生成回路１０６ｂにて静止画を生成する。尚、フレーム静止画生成回路１０６ｂで静止画が生成される方式については後述する。
【００２８】
一方、ステップ＃２０２で交換レンズ１１５がカメラ本体１１６に装着されていると判定した場合は、ステップ＃２０２でＹＥＳに分岐し、レンズ側制御部１１１から受信したデータからメカシャッタ１１４が塔載されているかどうかの解析を行う（ステップ＃２０３）。解析した結果、メカシャッタ１１４が塔載されていない場合は、交換レンズ１１５がカメラ本体１１６に装着されていない場合と同様、ステップ＃２０４でＮＯに分岐する。その後、フレーム静止画生成回路１０６ｂにて静止画を生成する。尚、フレーム静止画生成回路１０６ｂで静止画が生成される方式については後述する。もし、メカシャッタ１１４が塔載されている場合は、ステップ＃２０４でＹＥＳに分岐し、フレーム静止画生成回路１０６ａで静止画を生成する。尚、フレーム静止画生成回路１０６ａで静止画が生成される方式については後述する。
【００２９】
次に、図５ないし図９を用いて、上記フレーム静止画生成回路１０６ａによりメカシャッタ１１４を用いて静止画を生成する場合について説明する。
【００３０】
図５において、静止画記録スイッチ１０９がＯＮされた瞬間に、カメラ側制御部１０８でタイマの設定値を設定する（ステップ＃３００１）。尚、タイマの意味するところについては、図８を用いて後述する。次に、静止画記録スイッチ１０９がＯＮされたことを意味するステータスと、上記ステップ＃３００１で設定したタイマの設定値をレンズ側制御部１１１に送信する（ステップ＃３００２）。
【００３１】
次に、図６において、交換レンズ１１５では、まず、レンズ側制御部１１１において、カメラ側制御部１０８から送信されたデータ（ステータスデータ）を受信する（ステップ＃４００１）。次に、受信したステータスデータからメカシャッタ１１４をクローズ（ＯＮ）するための要求が来たかどうかを判定する（ステップ＃４００２）。メカシャッタ１１４をクローズするための要求が来ていなければ、ステップ＃４００２でＮＯに分岐して終了する。メカシャッタ１１４をクローズするための要求が来ていれば、ステップ＃４００２でＹＥＳに分岐する。そして、上記ステップ＃４００１で受信したステータスデータからタイマの設定値をデコードし、タイマ割り込みの設定を行う（ステップ＃４００３）。
【００３２】
次に、タイマ割り込みを所定のタイミングにおいてスタートさせる（ステップ＃４００４）。なお、所定のタイミングについては、図８を用いて後述する。尚、図７に示すように、図６のステップ＃４００３で設定したタイマの終了による割り込みが発生した後で（ステップ＃５００１）、メカシャッタ１１４をクローズするための制御信号を生成する（ステップ＃５００２）。
【００３３】
図８は、ステップ＃４００１乃至４００４とステップ＃５００１、ステップ＃５００２の一連の流れを時系列に示すタイミングチャートである。
【００３４】
図８において、１００１は、カメラ信号処理回路１０６から出力されたＶＤ１１７である。１００２は、ＣＣＤ１０３から垂直転写ゲートに電荷を転送するための信号（以下、ＳＧ信号）である。１００３は、ＶＤ１００１の立下り位相とほぼ同期したタイミングでカメラ側制御部１０８からレンズ側制御部１１１に出力されるＣＳである。ＣＳ１００３は、ＶＤ毎にカメラ本体１１６から出力されているＶＤ１００１とほぼ同期して出力されている。換言すれば、ＶＤ毎にカメラ側制御部１０８とレンズ側制御部１１１とが通信されている。１００４は、カメラ側制御部１０８からレンズ側制御部１１１へクロック同期式の通信を行う場合に必要とされるＣＬＫ（クロック）である。
【００３５】
ここで、メカシャッタ１１４の動作１００５について説明する。
【００３６】
例えば、図８のＡで示されるタイミングで受信した内容に、メカシャッタ１１４をクローズするための要求を意味するステータスとタイマの設定値が含まれているとする。この場合は、次のＶＤ１００１の立下がりと同期したＣＳ１００３の立下がりタイミングと同期したタイミングであるタイマスタートタイミング１００６からタイマをスタートさせる。かかるタイマが終了したタイミングにおいて、タイマ終了割り込みがかかる（タイマ終了割り込みタイミング１００７）。かかるタイミングでメカシャッタ制御回路１２３を介してメカシャッタ１１４を高速にクローズさせてメカシャッタを動作させる。
【００３７】
図９において、タイミングｔ１で露光された映像信号から静止画を生成するために、タイミングｔ４においてメカシャッタ１１４で遮光する。タイミングｔ４で遮光しているため、タイミングｔ２で読み出された映像信号はフィールド画１であり、タイミングｔ３で読み出された映像信号はフィールド画２となる。このフィールド画１とフィールド画２は、タイミングｔ１で露光された映像信号であるため、時間差がない。よって、時間差の無いフィールド画１とフィールド画２を使ってフレーム画を生成することによって、振れの無い“きれい”な静止画を生成することが可能となる。
【００３８】
具体的には、図１０において、フィールド画１の信号をＡとした場合に、ＳＤＲＡＭ１１９上で生成されたデータ群がＤ１である。又、同様にフィールド画２の信号をＢとした場合に、ＳＤＲＡＭ１１９上で生成されたデータ群がＤ２である。これらのデータ群Ｄ１，Ｄ２から、図示したようなフレーム画のデータ群Ｄ１２を生成する。
【００３９】
以上、フレーム静止画生成回路１０６ａで静止画を生成する場合について具体的に説明した。
【００４０】
次に、静止画生成回路１０６ｂでの静止画を生成する場合について説明する。
【００４１】
図１１において、タイミングｔ１１で露光した映像信号は、タイミングｔ１２でＣＣＤ１０３から読み出され、フィールド画３となる。又、同様にタイミングｔ１３で露光した映像信号は、タイミングｔ１４でＣＣＤ１０３から読み出され、フィールド画４となる。フレーム静止画生成回路１０６ｂでは、フィールド画３とフィールド画４を使ってフレーム画を生成する。Ｄ３はフィールド画３のデータ群、Ｄ４はフィールド画４のデータ群、Ｄ３４はフレーム画のデータ群である。
【００４２】
図１１からわかるように、フィールド画３とフィールド画４は同じ時間に露光された映像信号ではないため、フィールド画３とフィールド画４とで時間差がある。前記時間差が原因で被写体に動きがある場合は、動きがある部分に振れが生じ、静止画の品位が大きく損なわれる。例えば、図１２において、“動きがある部分”と図中に図示されている部分は、フィールド画３とフィールド画４の２枚のフィールド画を使ってフレーム画を生成しても、動きがある部分に振れが生じ、静止画の品位が大きく損なわれる。
【００４３】
次に、図１３のフローチャートを用いて、振れ画の生じた部分を改善するための処理について説明する。
【００４４】
図１３において、フィールド画３とフィールド画４の２枚のフィールド画について全画素比較して補間作業を終了したかどうかを判定する（ステップ＃５００１）。もし、全画素補間作業が終了した場合は、ＹＥＳに分岐して、フレーム画を生成する作業は終了する。一方、全画素補間作業が終了していない場合は、ＮＯに分岐して、補間作業を継続する。そして、フィールド画３とフィールド画４を比較する。具体的には、前記比較は画素単位で行う。例えば、図１２のフィールド画３の画素Ａ１〜Ａ６とフィールド画４の画素Ｂ１〜Ｂ６に関してそれぞれＡ１とＢ１、Ａ２とＢ２、Ａ３とＢ３、Ａ４とＢ４、Ａ５とＢ５、Ａ６とＢ６とを比較し、動きがあるかどうかを判定する（ステップ＃５００３）。もし、動きが無いと判定した場合は、ＮＯに分岐し、フィールド画４の画素データであるＢをそのまま静止画に使用する（ステップ＃５００５）。しかし、もし動きがあると判定した場合は、ＹＥＳに分岐し、フィールド画３の画素データであるＡを静止画に使用する（ステップ＃５００４）。
【００４５】
以上、フレーム画の補間を行い、擬似的に生成したフレーム画を擬似フレーム画と呼ぶが、この擬似フレーム画を具体的に図示したのが、図１４である。
【００４６】
図１４の中にあるグレーで図示された部分が補間された信号である。つまり、Ｂ１がＡ１に置換され、Ｂ２がＡ２に置換され、Ｂ３がＡ３に置換され、Ｂ４がＡ４に置換され、Ｂ５がＡ５に置換され、Ｂ６がＡ６に置換されている。Ｄ３４’は擬似フレーム画のデータ群である。
【００４７】
以上、本発明の好ましい実施例について説明したが、本発明はこれらの実施例に限定されないことはいうまでもなく、その要旨の範囲内で種々の変形及び変更が可能である。
【００４８】
上記実施例によれば、交換レンズ１１５側にメカシャッタ１１４が塔載されているか否かをカメラ本体１１６側で判定する。そして、この判定結果に応じて、カメラ本体１１６側で生成する静止画の生成処理の仕方を切り換えるようにしている。具体的には、超望遠レンズや超ワイドレンズやマクロレンズなどが既に発売されている。このような様々の特色のあるレンズユニットにメカシャッタ１１４が塔載されていないとする。この場合は、２フィールドの情報から１フレームの画を擬似的に生成する静止画生成処理に切り換えるようにしている。このことにより、高品位な静止画撮影を可能にしている。
【００４９】
さらに詳しくは、メカシャッタが塔載された従来の交換レンズが装着された場合は、従来通り、高品位な静止画を撮影可能なことは同様である。そして、メカシャッタが塔載されていない交換レンズが装着された場合には、静止画の生成処理を切り換える（フレーム静止画生成回路１０６ａからフレーム静止画生成回路１０６ｂに切り換える）ようにしている。これにより、実用上問題の無い比較的、高品位な静止画撮影を可能にすることができる。
【図面の簡単な説明】
【００５０】
【図１】本発明の一実施例に係わる撮像システムのシステム構成を示す図である。
【図２】本発明の一実施例に係わる撮像システムの他のシステム構成を示す図である。
【図３】図１および図２に示すカメラ側制御部とレンズ側制御部との通信を具体的に説明するためのフローチャートである。
【図４】図１および図２に示すカメラ本体の動作を説明するためのフローチャートである。
【図５】図１に示すカメラ本体の動作を説明するためのフローチャートである。
【図６】図１に示す交換レンズの動作を説明するためのフローチャートである。
【図７】図１に示す交換レンズの動作を説明するためのフローチャートである。
【図８】図１に示す交換レンズとカメラ本体の動作を説明するためのタイミングチャートである。
【図９】図１に示すカメラ本体の動作を説明するための図である。
【図１０】図１に示すカメラ本体の動作を説明するための図である。
【図１１】図２に示すカメラ本体の動作を説明するための図である。
【図１２】図２に示すカメラ本体の動作を説明するための図である。
【図１３】図２に示すカメラ本体の動作を説明するための図である。
【図１４】図２に示すカメラ本体の動作を説明するための図である。
【符号の説明】
【００５１】
１００  撮像システム
１０１  レンズ
１０３  ＣＣＤ
１０６  カメラ信号処理回路
１０８  カメラ側制御部
１０９  静止画記録スイッチ
１１１  レンズ側制御部
１１４  メカシャッタ
１１５  交換レンズ
１１６  カメラ本体
１２３  メカシャッタ制御回路
【図１】
2008118239.tif 000003
【図２】
2008118239.tif 000004
【図３】
2008118239.tif 000005
【図４】
2008118239.tif 000006
【図５】
2008118239.tif 000007
【図６】
2008118239.tif 000008
【図７】
2008118239.tif 000009
【図８】
2008118239.tif 000010
【図９】
2008118239.tif 000011
【図１０】
2008118239.tif 000012
【図１１】
2008118239.tif 000013
【図１２】
2008118239.tif 000014
【図１３】
2008118239.tif 000015
【図１４】
2008118239.tif 000016
【手続補正書】
【提出日】平成20年3月14日(2008.3.14)
【手続補正１】
【補正対象書類名】明細書
【補正対象項目名】００３６
【補正方法】変更
【補正の内容】
【００３６】
例えば、図８のＡで示されるタイミングで受信した内容に、メカシャッタ１１４をクローズするための要求を意味するステータスとタイマの設定値が含まれているとする。この場合は、次のＶＤ１００１の立下がりから１１１０の時間分位相差があるものの、ＶＤ１００１の立下がりと同期してＣＳ１００３が立ち下がる。このＣＳ１００３の立下がりタイミングと同期したタイミングであるタイマスタートタイミング１００６からタイマをスタートさせる。かかるタイマが終了したタイミングにおいて、タイマ終了割り込みがかかる（タイマ終了割り込みタイミング１００７）。かかるタイミングでメカシャッタ制御回路１２３を介してメカシャッタ１１４を高速にクローズさせてメカシャッタを動作させる。メカシャッタが実際に閉じきったタイミングが１１０９で図示されている。
【手続補正２】
【補正対象書類名】明細書
【補正対象項目名】００４１
【補正方法】変更
【補正の内容】
【００４１】
図１１において、ＶＤ５０１はＶＤ１００１（図８）と同じタイミングである。また、ＳＧ１  ５０１とＳＧ２  ５０３はＳＧ１００２（図８）と同じタイミングである。タイミングｔ１１で露光した映像信号は、タイミングｔ１２でＣＣＤ１０３から読み出され、フィールド画３となる。又、同様にタイミングｔ１３で露光した映像信号は、タイミングｔ１４でＣＣＤ１０３から読み出され、フィールド画４となる。フレーム静止画生成回路１０６ｂでは、フィールド画３とフィールド画４を使ってフレーム画を生成する。また、図１２において、Ｄ３はフィールド画３のデータ群、Ｄ４はフィールド画４のデータ群、Ｄ３４はフレーム画のデータ群である。
【手続補正３】
【補正対象書類名】図面
【補正対象項目名】図８
【補正方法】変更
【補正の内容】
【図８】
2008118239.tif 000017